(57)【要約】【課題】ケーブルダクトの電磁シールド用珪素鋼板積層に使用する珪素鋼板をロール長さ方向の切断のみで積層可能とする。【解決手段】電力機器本体１の取合端子部３側側面に取り付けられる内側に珪素鋼板積層８を有する電磁電磁シールド付きケーブルダクト６において、ダクト本体７の角部７ａを湾曲状とすると共に、ケーブルダクト６を着脱可能な重量となり、かつ、珪素鋼板のロール幅寸法に合うように分割した分割ケーブルダクト６Ａとし、分割ケーブルダクト６Ａの珪素鋼板積層８をロール幅寸法の短冊状珪素鋼板８ａを絶縁シート９を介してダクト本体７の湾曲に沿わせて積層する。ケーブルダクト６の角部７ａが湾曲状に形成されており、また取合端子部３の点検は最上の分割ケーブルダクト６Ａを外せばよく、点検窓を設ける必要がないので、珪素鋼板をロール長さ方向の切断のみで積層可能となる。【選択図】　図１
2004015031.tif 000002
【特許請求の範囲】
【請求項１】
電力機器本体の取合端子部側側面に取り付けられる断面略コ字状のダクト本体とダクト本体の内側に設けられた珪素鋼板積層とからなる電磁シールド付きケーブルダクトにおいて、
ケーブルダクトの角部は湾曲状に形成され、
ケーブルダクトは、着脱可能な重量となり、かつ、珪素鋼板のロール幅寸法に合うように複数に分割された、分割フランジ付きの分割ケーブルダクトからなり、
各分割ケーブルダクトの珪素鋼板積層は、前記ロール幅寸法の珪素鋼板が絶縁シートを介してケーブルダクトの湾曲に沿わせて積層されていることを特徴とする電磁シールド付きケーブルダクト。
【発明の詳細な説明】
【０００１】
【発明の属する技術分野】
本発明は、電力機器において、地中ケーブルを接続する取合部の電磁波を低減するための電磁シールド付きケーブルダクトに関するものである。
【０００２】
【従来の技術】
従来、電力機器の地中ケーブルを接続する取合部における電磁波低減用電磁シールド付きケーブルダクトの一般的な構成を図３、図４に示す。図中、１は電力機器本体、２は電力機器本体１に取り付けられた取合ポケット、３は取合ポケット２の下方に位置する取合端子部、４は取合端子部３に接続された電力ケーブル、５は電力ケーブルが引き込まれる地中ケーブル用ピット、１０はケーブル露出部（取合部）の周囲を覆う電磁シールド付きケーブルダクト）を示す。
【０００３】
電磁シールド付きケーブルダクト１０は、横断面略コ字状に形成されたダクト本体１１とその内面に設けられたシールド部材１２とからなり、ダクト本体１１の開口側の両端に設けられている取付部１１ｄによりボルト（図示省略）などで電力機器本体１の側面に取り付けられる。電磁シールド付きケーブルダクト１０の正面中央上部には、取合端子部３や電力ケーブル４点検用のハンドホール１０ａが設けられていることが多い。ダクト本体１１のハンドホール１０ａ部分１１ａにはフランジ部１１ｂが形成され、ハンドホール１０ａを塞ぐためのハンドホール用蓋１０ｂの蓋本体１１ｃがボルト（図示省略）などで着脱自在に設けられている。
【０００４】
ダクト本体１１及び蓋本体１１ｃの内側面には、シールド部材１２として珪素鋼板板積層１２ａ、１２ｂ及び１２ｃが絶縁片１３を介して張り巡らされて電力ケーブル４などから出る電磁波の漏れを防いでいる。
【０００５】
【発明が解決しようとする課題】
ところで、上記ハンドホールを有する電磁シールド付きケーブルダクトには、以下のような問題がある。
１）シールド部材として使用している珪素鋼板は、折り曲げると表面に施されている絶縁皮膜が剥がれてしまうため、折り曲げずに使用しなければならない。そのため珪素鋼板をダクト本体の直角部にて分割しなければならず、数種類の寸法の部材を用いねばならない。
２）珪素鋼板は、通常ロール状に巻かれたものを購入するため、長さ方向の寸法は自在に切断できるが、ロール幅方向は設備上切断が困難で、購入寸法にて使用しなければならず、ダクトの形状や寸法が制約を受ける。
３）珪素鋼板の絶縁皮膜保護のため溶断はできないので、ハンドホール等の切欠形状を得ることが困難であり、短冊状の珪素鋼板を組み合わせることにあるが、２）項の制約がある。
４）ダクト本体と珪素鋼板積層部とを隔てている絶縁片は重量低減と資材量を減らすため、多数の分割片となり、部材数が多くなる。
【０００６】
本発明は、上記課題に鑑みてなされたものであり、珪素鋼板のロール長さ方向の切断のみで、積層可能なシールドダクトを提供することを目的とする。
【０００７】
【課題を解決するための手段】
本発明の電磁シールド付きケーブルダクトは、電力機器本体の取合端子側側面に取り付けられる断面略コ字状のダクト本体とダクト本体の内側に設けられた珪素鋼板積層とからなる電磁シールド付きケーブルダクトにおいて、ケーブルダクトの角部は湾曲状に形成され、ケーブルダクトは、着脱可能な重量となり、かつ、珪素鋼板のロール幅寸法に合うように複数に分割された、分割フランジ付きの分割ケーブルダクトからなり、各分割ケーブルダクトの珪素鋼板積層は、前記ロール幅寸法の珪素鋼板が絶縁シートを介してケーブルダクトの湾曲に沿わせて積層されていることを特徴とするものである。
【０００８】
【発明の実施の形態】
本発明の実施の形態について図１、図２を用いて説明する。図中、１は電力機器本体、２は電力機器本体１に取り付けられた取合ポケット、３は取合ポケット２の下方に位置する取合端子部、４は取合端子部３に接続された電力ケーブル、５は電力ケーブルが引き込まれる地中ケーブル用ピット、６はケーブル露出部（取合部）の周囲を覆う電磁シールド付きケーブルダクトである。
【０００９】
電力機器本体１の高さ方向に長い電磁シールド付きケーブルダクト６は、珪素鋼板のロール幅及び脱着時の重量を勘案して複数段に分割し、分割フランジにて着脱可能に接合する構成とする。実施の形態では、電磁シールド付きケーブルダクト６は、複数（例えば、４個）の分割ケーブルダクト６Ａに分割されている。各分割ケーブルダクト６Ａは、分割フランジａを有する分割ダクト本体７と珪素鋼板積層８及び分割ダクト本体７と珪素鋼板積層８間を絶縁する絶縁シートで構成されている。
【００１０】
各分割ダクト本体７は、図２（図１のＩ−Ｉ断面）に示すように、断面形状が略コ字状をなし、そのコーナ部分７ａは珪素鋼板が沿うことができるように比較的大きな円弧状に曲げられた湾曲部となっている。また、各分割ダクト本体７は、後部両端に設けられている取付部７ｂによりボルト（図示省略）などで電力機器本体１の取合端子部側面に取り付け得るようにしてある。
【００１１】
予め分割ダクト本体７の高さ（長さ）と略同一ロール幅に珪素鋼板を分割ダクト本体７の内面横方向長さと略同一長さに切断した珪素鋼板８ａ（分割ダクト本体７の内面の大きさと略同一の短冊状の珪素鋼板）を用意し、分割ケーブルダクト本体７の内面に絶縁シート９を介して珪素鋼板８ａを沿わせるようにして珪素鋼板８ａを複数枚積層した珪素鋼板積層８を設けて、各分割ケーブルダクト６Ａを構成する。
【００１２】
上記のように構成された４つの分割シールドダクト６Ａは、下から順次積み重ねるようにして電力機器本体１の取合端子側側面に分割ダクト本体７の取付部７ｂをボルトなどにて取付けて行くと共に、上下に隣接する分割ダクト本体７の分割フランジａをボルトなどで結合して電磁シールド付きケーブルダクト６を組立てる。
【００１３】
以上のように、電磁シールド付きケーブルダクト６は、珪素鋼板のロール幅及び脱着時の重量を勘案して複数の分割シールドダクト６Ａに分割し、分割フランジａにて着脱可能に結合する構成となっているので、珪素鋼板８ａはロール幅方向に切断することなく、長さ方向のみの切断で良いことになる。また、取合端子部３や電力ケーブル４の点検は、最上段などの分割ケーブルダクト６Ａを外すことで点検可能となるので、従来のハンドホール１０ａなどを設ける必要がないので、珪素鋼板８ａに穴を空けたり、細かく切断した多数の珪素鋼板を用いたりする必要がない。
【００１４】
【発明の効果】
本発明の電磁シールド付きケーブルダクトは、上述のとおり構成されているので、以下に記載する効果を奏する。
（１）電磁シールド付きケーブルダクトを珪素鋼板のロール幅寸法に合わせてダクト長さ方向に分割したので、珪素鋼板をロール長さ方向に分断するだけで、積層可能となる。
（２）電磁シールド付きケーブルダクトは脱着可能な重量となるようにダクト長さ方向に分割されているので、ハンドホールを設ける必要がなく、珪素鋼板積層部が複雑となる切欠部をなくすことができる。
（３）ケーブルダクトの角部は湾曲しているので、絶縁シートをダクト内面に沿わせて貼ることにより、ダクト本体と珪素鋼板をとを絶縁できる。また、珪素鋼板を折り曲げ、切断分割することなく、１枚の短冊状にて積層できる。
【図面の簡単な説明】
【図１】本発明の実施の形態にかかる電磁シールド付きケーブルダクトが電力機器本体に取り付けられている状態を示す側面図。
【図２】図１のＩ−Ｉ断面図。
【図３】従来例にかかる電磁シールド付きケーブルダクトが電力機器本体に取り付けられている状態を示す側面図。
【図４】図４（ａ）は図３のＩＩ−ＩＩ断面図。図４（ｂ）は図４（ａ）のＡ部拡大図。
【符号の説明】
１：電力機器本体
２：取合ポケット
３：取合端子部
４：電力ケーブル
５：ケーブルピット
６：電磁シールド付きケーブルダクト
６ａ：分割ケーブルダクト
７：分割ケーブルダクト本体
７ａ：湾曲部
８：珪素鋼板積層
８ａ：珪素鋼板
９：絶縁シート
１０：電磁シールド付きケーブルダクト
１０ａ：ハンドホール
１０ｂ：ハンドホールの蓋
１１：ダクト本体
１２ａ、１２ｂ：珪素鋼板積層
１３：絶縁片
【図１】
2004015031.tif 000003
【図２】
2004015031.tif 000004
【図３】
2004015031.tif 000005
【図４】
2004015031.tif 000006